(57)【要約】      （修正有）【課題】水中に潜ったときの通気口からの管内への水の流入を防止する。【解決手段】シュノーケル１は、空気の流路１０を有する基管部２と、該基管部２の流路１０の一端側１０ａに形成され、該流路１０に連通する透孔３ａを有するマウスピース部３と、該基管部２の流路１０の他端側１０ｂに形成され、該流路１０に連通する通気口４ａを有する通気部４とを備え、マウスピース部３を口にくわえ、通気部４の通気口４ａを水面Ｓに出した使用状態として、水中で呼吸するためのものである。そして、通気部４は、前記使用状態で、通気口４ａから上方に向かった後、該通気口４ａよりも上方で折り返してから基管部２の流路１０に連通する折返流路１１を備えたことを特徴としている。【選択図】図１
0003141720.tif 000002
【実用新案登録請求の範囲】
【請求項１】
空気の流路を有する基管部と、該基管部の流路の一端側に形成され、該流路に連通する透孔を有するマウスピース部と、該基管部の流路の他端側に形成され、該流路に連通する通気口を有する通気部とを備え、
前記マウスピース部を口にくわえ、前記通気部の通気口を水面に出した使用状態として、水中で呼吸するためのシュノーケルにおいて、
前記通気部は、前記使用状態で、前記通気口から上方に向かった後、該通気口よりも上方で折り返してから前記基管部の流路に連通する折返流路を備えたことを特徴とするシュノーケル。
【請求項２】
前記通気部は、前記折返流路における折返部位よりも通気口側に入った水が、前記使用状態では、該折返流路に溜まることなく排出されるように構成された請求項１記載のシュノーケル。
【請求項３】
前記通気部は、前記使用状態で、前記通気口が略下向きに開口した状態となるように設けられた請求項１又は２記載のシュノーケル。
【請求項４】
前記通気部は、上下移動可能に内蔵された浮きを備え、
該浮きは、前記通気口が水中に沈むと該浮きの浮力で上昇して該通気口を塞ぎ、該通気口が水中から出ると該浮きの自重で下降して前記通気口を開くように構成された請求項１〜３のいずれか一項に記載のシュノーケル。
【請求項５】
前記通気部は、前記基管部に対して着脱可能に接続された請求項１〜４のいずれか一項に記載のシュノーケル。
【請求項６】
前記通気部は、略逆Ｕ字状又は略逆Ｊ字状に形成された屈曲管を備え、
該屈曲管は、一端側開口が前記基管部の流路の他端側に接続され、他端側開口が前記通気口となっている請求項１〜５のいずれか一項に記載のシュノーケル。
【請求項７】
前記屈曲管は、屈曲向き調節可能に形成された請求項６記載のシュノーケル。
【請求項８】
前記通気部は、前記基管部の流路の他端側に覆い被せるように、且つ、該他端側の開口を塞がないように配設された笠状体を備え、
該笠状体は、その下向きの内面と前記基管部の他端側との間に前記折返流路及び前記通気口が形成された請求項１〜５のいずれか一項に記載のシュノーケル。
【考案の詳細な説明】
【技術分野】
【０００１】
本考案は、水中で呼吸するためのシュノーケルに関するものである。
【背景技術】
【０００２】
一般にシュノーケルは、略Ｊ字形に形成された管と、該管の湾曲部近傍側の一端部に形成されたマウスピースとを備え、該マウスピースを口にくわえ、該管の他端側開口を水面に出して、水中で呼吸するように構成されている。このシュノーケルは水面下の浅いところで呼吸するためのものであり、水中深く潜ると、シュノーケル全体が水中に潜り、前記他端側開口から管内に水が入り、管内全体が水で満たされてしまう。このため、その後に水面に出たときに、まず、マウスピースから空気を送り込み、前記他端側開口から管内の水出しをしなければならず、使い勝手が悪いという課題がある。
【０００３】
管内が水で満たされることを防止するように構成された従来例としては、特許文献１記載の水中呼吸器を例示する。この水中呼吸器は、図５に示すように、２本の管５１，５２の一方に浮力を有する物体５３を取り付け、他の一方に吸気弁５７，排気弁５８を有する吸い口５９を取り付けている。
【０００４】
この構成により、２本の管５１，５２の端５４，５５は、常に水面５６より上の位置にあり、しかも波避けカバー６１が、管の端５４，５５を覆うように取り付けてあるので、波避けカバー６１に設けられた通気孔６０から空気は出入りするものの、波やしぶきのほとんどは避けられ、管の端５４，５５から２本の管５１，５２の中へ水やしぶきが入ることは全くないから、支障なく呼吸できるようにしている、ということである。
【０００５】
【特許文献１】特開２００４−２６１２１号公報
【考案の開示】
【考案が解決しようとする課題】
【０００６】
ところが、特許文献１記載の水中呼吸器では、２本の管５１，５２の端５４，５５に浮力を有する物体５３が取り付けてあるので、水中に潜れる深さが２本の管５１，５２の長さに制限されるという課題がある。
【課題を解決するための手段】
【０００７】
上記課題を解決するために、第１の考案のシュノーケルは、
空気の流路を有する基管部と、該基管部の流路の一端側に形成され、該流路に連通する透孔を有するマウスピース部と、該基管部の流路の他端側に形成され、該流路に連通する通気口を有する通気部とを備え、
前記マウスピース部を口にくわえ、前記通気部の通気口を水面に出した使用状態として、水中で呼吸するためのシュノーケルにおいて、
前記通気部は、前記使用状態で、前記通気口から上方に向かった後、該通気口よりも上方で折り返してから前記基管部の流路に連通する折返流路を備えたことを特徴としている。
【０００８】
この構成によれば、前記折返流路を備えているので、前記通気口が水中に潜っても、前記通気口から前記基管部の流路内に水が流入し難く、該流路内が水で満たされてしまうことを防止することができる。このため、水中深く潜った後に水面に出たときの該流路からの水出しが不要で、使い勝手が良い。
【０００９】
第２の考案のシュノーケルとしては、第１の考案において、
前記通気部は、前記折返流路における折返部位よりも通気口側に入った水が、前記使用状態では、該折返流路に溜まることなく排出されるように構成された態様を例示する。
【００１０】
この構成によれば、使用中（使用状態において呼吸しているときや、前記通気部が水中に潜ったとき等）に、前記折返流路の前記通気口側に水が入っても、前記使用状態では、該水が排出されるので、速やかに呼吸が可能な状態になる。
【００１１】
第３の考案のシュノーケルとしては、第１又は２の考案において、
前記通気部は、前記使用状態で、前記通気口が略下向きに開口した状態となるように設けられた態様を例示する。
【００１２】
この構成によれば、前記通気口が水中に沈むときに、該通気口から水が流入し難くすることができる。
【００１３】
第４の考案のシュノーケルとしては、第１〜３のいずれかの考案において、
前記通気部は、上下移動可能に内蔵された浮きを備え、
該浮きは、前記通気口が水中に沈むと該浮きの浮力で上昇して該通気口を塞ぎ、該通気口が水中から出ると該浮きの自重で下降して前記通気口を開くように構成された態様を例示する。
【００１４】
この構成によれば、前記通気口が水中に沈んでいるときに、該通気口を塞ぐように構成されているので、前記基管部の流路内への水の流入を確実に防止することができる。
【００１５】
第５の考案のシュノーケルとしては、第１〜４のいずれかの考案において、
前記通気部は、前記基管部に対して着脱可能に接続された態様を例示する。
【００１６】
この構成によれば、必要に応じて前記通気部を適宜着脱することができる。ここで、前記通気部を取り外した状態では、前記基管部の他端側における開口を水面に出して使用する。
【００１７】
第６の考案のシュノーケルとしては、第１〜５のいずれかの考案において、
前記通気部は、略逆Ｕ字状又は略逆Ｊ字状に形成された屈曲管を備え、
該屈曲管は、一端側開口が前記基管部の流路の他端側に接続され、他端側開口が前記通気口となっている態様を例示する。
【００１８】
この構成によれば、前記第１〜５の考案をシンプルな構成で低コストに実現することができる。
【００１９】
第７の考案のシュノーケルとしては、第６の考案において、
前記屈曲管は、屈曲向き調節可能に形成された態様を例示する。
【００２０】
前記屈曲向き調節可能に形成とは、特に限定されないが、可撓性材料により蛇腹状に形成された態様を例示する。
【００２１】
この構成によれば、使用者個々の肉体の個人差や、使用状態の違いや、好みの違いに応じて前記通気口の向きを調節することができる。
【００２２】
第８の考案のシュノーケルとしては、第１〜５のいずれかの考案において、
前記通気部は、前記基管部の流路の他端側に覆い被せるように、且つ、該他端側の開口を塞がないように配設された笠状体を備え、
該笠状体は、その下向きの内面と前記基管部の他端側との間に前記折返流路及び前記通気口が形成された態様を例示する。
【００２３】
この構成によっても、前記第１〜５の考案をシンプルな構成で低コストに実現することができる。
【考案の効果】
【００２４】
本考案に係るシュノーケルによれば、水中に潜ったときの通気口からの管内への水の流入を防止することができるという優れた効果を奏する。
【考案を実施するための最良の形態】
【００２５】
図１は本考案を具体化した第一実施形態のシュノーケル１を示している。このシュノーケル１は、空気の流路１０を有する基管部２と、該基管部２の流路１０の一端側１０ａに形成され、該流路１０に連通する透孔３ａを有するマウスピース部３と、該基管部２の流路１０の他端側１０ｂに形成され、該流路１０に連通する通気口４ａを有する通気部４とを備えている。このシュノーケル１を使用して水中で呼吸するには、マウスピース部３を口にくわえ、通気部４の通気口４ａを水面Ｓに出した使用状態とする。
【００２６】
基管部２は、マウスピース部側がやや湾曲するとともに、通気部側が直線状に延びる樹脂製の管からなっている。
【００２７】
マウスピース部３は、可撓性樹脂からなり、基管部２の流路１０の下端側開口を塞ぐように装着されており、該下端側開口に連通する上向きの透孔３ａが設けられている。
【００２８】
本例の通気部４は、可撓性樹脂からなる蛇腹状の管が略逆Ｊ字状に屈曲された屈曲管となっている。この屈曲管は、一端側開口が基管部２の流路１０の他端側１０ｂに着脱可能に接続され、他端側開口が通気口４ａとなっている。このように、本考案の通気部４は、前記使用状態で、通気口４ａから上方に向かった後、該通気口４ａよりも上方で折り返してから基管部２の流路１０に連通する折返流路１１を備えており、折返流路１１における折返部位よりも通気口側に入った水は、前記使用状態では、該折返流路１１に溜まることなく排出されるように構成されている。また、本考案の通気部４は、前記使用状態で、通気口４ａが略下向きに開口した状態となるように設けられている。また、本考案の通気部４は、さらに、この屈曲管は蛇腹状に形成されているので、屈曲向き調節可能になっている。
【００２９】
以上のように構成された本例のシュノーケル１によれば、折返流路１１を備えているので、通気口４ａが水中に潜っても、通気口４ａから基管部２の流路１０内に水が流入し難く、該流路１０内が水で満たされてしまうことを防止することができる。このため、水中深く潜った後に水面Ｓに出たときの該流路１０からの水出しが不要で、使い勝手が良い。
【００３０】
また、通気部４は、折返流路１１における折返部位よりも通気口側に入った水が、前記使用状態では、該折返流路１１に溜まることなく排出されるように構成されているので、使用中（使用状態において呼吸しているときや、通気部４が水中に潜ったとき等）に、折返流路１１の前記通気口側に水が入っても、前記使用状態では、該水が排出されるので、速やかに呼吸が可能な状態になる。
【００３１】
また、通気部４は、前記使用状態で、通気口４ａが略下向きに開口した状態となるように設けられているので、通気口４ａが水中に沈むときに、該通気口４ａから水が流入し難くすることができる。
【００３２】
また、通気部４は、必要に応じて通気部４を適宜着脱することができる。ここで、通気部４を取り外した状態では、基管部２の流路１０の他端側１０ｂにおける開口を水面Ｓに出して使用する。
【００３３】
また、本例の通気部４は、略逆Ｊ字状に形成された屈曲管となっているので、シンプルな構成で低コストに実現することができる。
【００３４】
また、本例の通気部４としての屈曲管は、屈曲向き調節可能に形成されているので、使用者個々の肉体の個人差や、使用状態の違いや、好みの違いに応じて通気口４ａの向きを調節することができる。
【００３５】
次に、図２は本考案を具体化した第二実施形態を示している。このシュノーケル１は、以下に示す点において、主に第一実施形態と相違している。従って、同実施形態と共通する部分については、同一符号を付することにより重複説明を省く（以下、他の実施形態についても同様）。
【００３６】
本例の通気部４は、上下移動可能に内蔵された浮き２０を内蔵している。この浮き２０は、通気口４ａが水中に沈むと該浮き２０の浮力で上昇して該通気口４ａを塞ぎ（図２（ａ）参照）、該通気口４ａが水中から出ると該浮き２０の自重で下降して通気口４ａを開く（図２（ｂ）参照）ように構成されている。
【００３７】
本例のシュノーケル１によれば、第一実施形態と同様の効果に加え、通気口４ａが水中に沈んでいるときに、該通気口４ａを塞ぐように構成されているので、基管部２の流路１０内への水の流入を確実に防止することができるという効果を得ることができる。
【００３８】
次に、図３は本考案を具体化した第三実施形態を示している。このシュノーケル１は、以下に示す点において、主に第一実施形態と相違している。
【００３９】
本例の通気部４は、基管部２の流路１０の他端側１０ｂに覆い被せるように、且つ、該他端側１０ｂの開口を塞がないように配設された笠状体３０を備えている。この笠状体３０は、その下向きの内面と基管部２の他端側１０ｂとの間に折返流路１１及び通気口４ａが形成されている。
【００４０】
本例のシュノーケル１によっても、第一実施形態と同様の効果を得ることができる。
【００４１】
なお、本考案は前記実施形態に限定されるものではなく、例えば以下に示すように、考案の趣旨から逸脱しない範囲で適宜変更して具体化することもできる。
（１）図４に示すように、通気口４ａの向きを適宜変更すること。
（２）基管部２と通気部４とを一体的に形成すること。
【図面の簡単な説明】
【００４２】
【図１】本考案を具体化した第一実施形態に係るシュノーケルの正面図である。
【図２】本考案を具体化した第二実施形態に係るシュノーケルの要部の構造を示す一部破断正面図である。
【図３】本考案を具体化した第三実施形態に係るシュノーケルの構造を示す一部破断正面図である。
【図４】本考案の変更例に係るシュノーケルの正面図である。
【図５】従来例の構造図である。
【符号の説明】
【００４３】
１    シュノーケル
２    基管部
３    マウスピース部
３ａ  透孔
４    通気部
４ａ  通気口
１０    流路
１０ａ  一端側
１０ｂ  他端側
１１    折返流路
２０    浮き
３０    笠状体
Ｓ    水面
【図１】
0003141720.tif 000003
【図２】
0003141720.tif 000004
【図３】
0003141720.tif 000005
【図４】
0003141720.tif 000006
【図５】
0003141720.tif 000007